(57)【要約】      （修正有）【課題】リュックサックに物品を収納する機能だけでなく、音楽や歌曲を出力することができるようにし、その実用価値を向上したリュックサックの提供。【解決手段】リュックサック本体１に設けた２本の肩掛けベルトにそれぞれスピーカ１２を設置し、その埋設位置にネット孔を設け、スピーカの下方の適切な位置にそれぞれポケットを設け、リュックサック内側にアンプ１６を設置し、このアンプをリュックサックと肩掛けベルト内に埋設した導線により、スピーカ及びポケット上端部に露出して設けたプラグ１８に接続し、MP３プレイヤーやラジオ等の音声出力装置２を肩掛けベルトのポケットに入れて接続し、導線１７による伝送とアンプによる増幅により、肩掛けベルトに設置されたスピーカから音楽や歌曲を出力する。【選択図】図２
0003116814.tif 000002
【実用新案登録請求の範囲】
【請求項１】
リュックサック本体を含み、該リュックサック本体前方に２本の肩掛けベルトを設け、そのうち、該２本の肩掛けベルトの上段部の適切な位置にスピーカをそれぞれ埋設し、該スピーカの位置にネット孔を設け、該スピーカ下方の適切な位置にそれぞれポケットを設置し、該リュックサック本体内部に内ポケットを設け、該内ポケットにアンプを入れ、該アンプをリュックサック布の挟み層及び肩掛けベルトの挟み層に埋設した導線により該２つのスピーカ及び該ポケットのうちいずれかの上端部に露出して設けたプラグと接続し、該ポケットに音声出力装置を入れて該プラグを挿入して接続し、該音声出力装置の信号が導線により伝送され、該アンプにより増幅されて該スピーカから出力されることを特徴とするリュックサック。
【請求項２】
前記肩掛けベルトに設けたポケット及びリュックサック本体内部に設けた内内ポケットの上端開口部に上蓋を設け、遮蔽機能を形成する請求項１に記載のリュックサック。
【請求項３】
前記リュックサック本体内部に、ノートパソコンやノート等の物品を収納可能な幅広で大きい挟みポケットを設けた請求項１に記載のリュックサック。
【考案の詳細な説明】
【技術分野】
【０００１】
本考案はリュックサックに関し、詳細には、音楽や歌曲を出力でき、且つ、ノートパソコンを入れることができ、リュックサックの実用価値を向上した、リュックサックに関する。
【背景技術】
【０００２】
リュックサックは使用に便利であり、携帯性に優れているため、多くの消費者に好んで利用されている。従来のリュックサックは、さまざまな物品を収納できるだけで、その他の機能は備えていないため、登山やウォーキングのとき、使用者が別途MP３再生装置やラジオなどの音声出力装置を携帯しているのをよく見かけるが、これでは利便性が低いだけでなく、音声出力装置の音声はイヤホンで聞くしかなく、スピーカで出力することはできないため、音楽や歌曲を聴く楽しみが半減してしまう。
【考案の開示】
【考案が解決しようとする課題】
【０００３】
本考案の主な目的は、リュックサックに物品を収納する機能だけでなく、音楽や歌曲を出力することができるようにし、その実用価値を向上したリュックサックを提供することにある。
【課題を解決するための手段】
【０００４】
前述のリュックサックは、リュックサック本体に設けた２本の肩掛けベルトにそれぞれスピーカを設置し、その埋設位置にネット孔を設け、スピーカの下方の適切な位置にそれぞれポケットを設け、リュックサック内側にアンプを設置し、このアンプをリュックサックと肩掛けベルト内に埋設した導線により、スピーカ及びポケット上端部に露出して設けたプラグに接続し、MP３プレイヤーやラジオ等の音声出力装置を肩掛けベルトのポケットに入れて接続し、導線による伝送とアンプによる増幅により、肩掛けベルトに設置されたスピーカから音楽や歌曲を出力することができる。
【０００５】
前述のリュックサックは、リュックサック本体内側に内ポケットを備え、接続に用いる導線を内ポケットの上端部から穿通し、この内ポケット内に入れたアンプに接続する。
【０００６】
前述のリュックサックは、リュックサック本体の内部に設けた内ポケットの下方に挟みポケットを設け、ノートパソコンやノート等の物品を収納することができる。
【考案の効果】
【０００７】
上述のように、本考案はリュックサックにスピーカ及び音声出力装置を入れるポケット、アンプを入れる内ポケットを設けており、リュックサックの使用時に音楽や歌曲を出力して聴いたり、ノートパソコン等を収納したりする機能を兼ね備えることができる。
【考案を実施するための最良の形態】
【０００８】
図１から図３に本考案の立体外観図、部分透視図及び使用例を示す立体外観図をそれぞれ示す。本考案は主にリュックサック本体１を含み、このリュックサック本体１前方に２本の肩掛けベルト１１を設置し、この２本の肩掛けベルト１１の上段部の適切な位置にスピーカ１２を埋設し、且つ、このスピーカ１２の位置にネット孔１３を設け、スピーカ１２下方の適切な位置に上蓋１４１を備えたポケット１４、１４aをそれぞれ設置する。
【０００９】
リュックサック１の内側に内ポケット１５を設け、そこにアンプ１６を入れ、このアンプ１６はリュックサック布の挟み層及び肩掛けベルト１１の挟み層に埋設された導線１７により２つのスピーカ１２と、ポケット１４または１４aのいずれかの上端部に露出して設けたプラグ１８に接続される。
【００１０】
前述の部材の組み合わせにより、MP３プレイヤーまたはラジオ等の音声出力装置２をポケット１４に入れ、プラグ１８を接続し、他方のポケット１４aには携帯電話３や懐中電灯等別の物品を入れることができる。音声出力装置２の電源を入れると、その信号が導線１７を経由して伝送され、アンプ１６により増幅されて２つのスピーカ１２から出力されるため、リュックサック本体１を背負って登山やレジャーを行うとき、スピーカ１２から出力される音楽や歌曲を聴くことができる。当然、音声出力装置２にイヤホン４を接続して聞くことも可能である。
【００１１】
図４に本考案のリュックサック内部の立体斜視図を示す。本考案はリュックサック本体１の内部に上蓋１５１がついた内ポケット１５を備え、ここにアンプ１６を入れ、導線１７によりスピーカ及び音声出力装置とこのアンプ１６を接続して信号を増幅し、スピーカから出力することができる。
【００１２】
図５に本考案の別の使用例の立体斜視図を示す。本考案のリュックサック本体１内部の下方に挟みポケット１９を設け、この挟みポケット１９は大きく幅広い形状とし、ここにノートパソコン１５やその他物品を収納してもよい。
【図面の簡単な説明】
【００１３】
【図１】本考案の立体概観斜視図である。
【図２】本考案の立体部分透視図である。
【図３】本考案の使用例を示す立体斜視図である。
【図４】本考案のリュックサック内部を示す立体斜視図である。
【図５】本考案の別の使用例を示す立体斜視図である。
【符号の説明】
【００１４】
１        リュックサック本体        
１１      肩掛けベルト       
１２      スピーカ  
１３      ネット孔            
１４、１４a    ポケット    
１４１、１４１a    上蓋        
１５      内ポケット
１５１    上蓋       
１６      アンプ     
１７      導線            
１８      プラグ       
１９      挟みポケット
２        音声出力装置        
３        携帯電話
４        イヤホン
５        ノートパソコン
【図１】
0003116814.tif 000003
【図２】
0003116814.tif 000004
【図３】
0003116814.tif 000005
【図４】
0003116814.tif 000006
【図５】
0003116814.tif 000007